(57)【要約】【課題】子供用ステップ板１１を備え、客用ハンドル７及び子供用ハンドル９の剛性が高く安定性に優れるショッピングカート１を提供する。【解決手段】ショッピングカート１は、左右の側枠４を備えた基枠２と、側枠４の前後方向中間部から立設した左右の第１支柱５と、側枠４の後部から立設した左右の第２支柱６と、第２支柱６の前傾した上部からなる客用ハンドル７と、第１支柱５の上端間に延びる子供用ハンドル９と、左右の側枠４の間の上であって第１支柱５と第２支柱６との間に設けられた子供用ステップ板１１とを備え、第１支柱５と第２支柱６とはいずれか一方の上端が他方の上端ないし上端から下へ１５ｃｍ以内に接合されている。【選択図】図１
2019182242.tif 000002
【特許請求の範囲】
【請求項１】
左右の側枠（４）を備えた基枠（２）と、側枠（４）の前後方向中間部から立設した左右の第１支柱（５）と、側枠（４）の後部から立設した左右の第２支柱（６）と、第２支柱（６）の前傾した上部からなる客用ハンドル（７）と、第１支柱（５）の上端間又は第２支柱（６）の上端間に延びる子供用ハンドル（９）と、左右の側枠（４）の間の上であって第１支柱（５）と第２支柱（６）との間に設けられた子供用ステップ板（１１）とを備え、第１支柱（５）と第２支柱（６）とはいずれか一方の上端が他方の上端ないし上端から下へ１５ｃｍ以内に接合されていることを特徴とするショッピングカート。
【請求項２】
客用ハンドル（７）は、垂直に対して５０〜７０度前傾している請求項１記載のショッピングカート。
【請求項３】
第１支柱（５）は、屈曲により垂直に対して６０度以上前傾又は後傾した部分を含まないものである請求項１又は２記載のショッピングカート。
【請求項４】
第１支柱（５）と第２支柱（６）の間にガード部材（１３）が架設されている請求項１、２又は３記載のショッピングカート。
【請求項５】
ショッピングカート（１）は、第１支柱（５）の中間部の前方に上部カゴ載せ（１５）を備え、上部カゴ載せ（１５）の後あおり壁（１６）に幼児用座席（２０）を備えている請求項１、２、３又は４記載のショッピングカート。
【請求項６】
幼児用座席（２０）は、後あおり壁（１６）に接近して折り畳まれた折り畳み状態から、上部カゴ載せ（１５）の後半部上方に繰り出された使用状態へと変更できるように構成されている請求項５記載のショッピングカート。
【発明の詳細な説明】
【技術分野】
【０００１】
本発明は、スーパーマーケット等の販売店で買い物をする際に使用するショッピングカートに関する。
【背景技術】
【０００２】
ショッピングカートのなかには、買物カゴを運ぶだけでなく、子供連れで買い物をする際の便宜のために、子供を一緒に運べるようにしたタイプがある。このタイプとしては、幼児が腰掛けることができる幼児用座席を設けたものが一般的であるが（特許文献１〜３）、近年、子供（幼児ないし低学年学童）が立って載ることができる床面（ステップ板）を設けたものも提案されている（特許文献４，５）。
【０００３】
特許文献４，５のショッピングカートは、車台の後部に立設された支柱と、支柱の上端部に設けられた操作ハンドルとを有している。支柱は、車台から立設する縦部材と、縦部材を支持する支持部材と、縦部材の両側部（垂直部分）を連結する横部材とを有している。縦部材は、その上端が後方に屈曲されるとともに折り返して前方に屈曲されたのち、左右に屈曲されて連結されている。この後方に屈曲されるとともに折り返す部分により、大人用（客用）のハンドルが形成される。この部分に続く部分と左右に屈曲されて連結される部分により、後方を除いて周囲を囲む枠が形成され、この枠は、車台に立って載った子供が掴みやすく（左右に屈曲されて連結される部分に子供用のハンドルを設けている）、子供の動く範囲を所定の範囲に規制するガイド枠として機能する、とされている。
【先行技術文献】
【特許文献】
【０００４】
【特許文献１】実開昭５７−２２４６６号公報
【特許文献２】特開平２−７４４６２号公報
【特許文献３】特開平９−３９７９７号公報
【特許文献４】特開２０１１−２４６０７７号公報
【特許文献５】特開２０１５−７７９７０号公報
【発明の概要】
【発明が解決しようとする課題】
【０００５】
しかし、特許文献４，５のショッピングカートは、縦部材の上端が後方に屈曲されるとともに折り返して前方に屈曲されることにより片持梁状の客用ハンドルが形成され、この客用ハンドルに続いて左右に屈曲されることにより子供用のハンドルが形成されているため、客用ハンドル及び子供用ハンドルは、撓みやすい構造であり、剛性が低く、安定性に問題がある。
【０００６】
そこで、本発明の目的は、子供用ステップ板を備え、客用ハンドル及び子供用ハンドルの剛性が高く安定性に優れるショッピングカートを提供することにある。
【課題を解決するための手段】
【０００７】
本発明のショッピングカートは、左右の側枠を備えた基枠と、側枠の前後方向中間部から立設した左右の第１支柱と、側枠の後部から立設した左右の第２支柱と、第２支柱の前傾した上部からなる客用ハンドルと、第１支柱の上端間又は第２支柱の上端間に延びる子供用ハンドルと、左右の側枠の間の上であって第１支柱と第２支柱との間に設けられた子供用ステップ板とを備え、第１支柱と第２支柱とはいずれか一方の上端が他方の上端ないし上端から下へ１５ｃｍ以内（より好ましくは１０ｃｍ以内）に接合されていることを特徴とする。
【０００８】
［作用］
第１支柱と第２支柱とはいずれか一方の上端が他方の上端ないし上端から下へ１５ｃｍ以内に突き合わされ接合されていることにより、両支柱の上部は互いに補強し合って強度が高くなっている。そして、客用ハンドルは強度が高い第２支柱の前傾した上部からなり、子供用ハンドルは強度が高い第１支柱の上端間又は第２支柱の上端間に延びているため、いずれも剛性が高く、安定性に優れる。
【発明の効果】
【０００９】
本発明によれば、子供用ステップ板を備え、客用ハンドル及び子供用ハンドルの剛性が高く安定性に優れるショッピングカートを提供することができる。
【図面の簡単な説明】
【００１０】
【図１】図１は、実施例１のショッピングカートを側面側から見た斜視図である。
【図２】図２は、同ショッピングカートを正面側から見た斜視図である。
【図３】図３は、同ショッピングカートを背面側から見た斜視図である。
【図４】図４は、実施例２のショッピングカートを背面側から見た斜視図である。
【発明を実施するための形態】
【００１１】
ここで、客用ハンドルである第２支柱の上部は、垂直に対して５０〜７０度前傾したものが好ましい。買物客が客用ハンドルを握りやすいからである。
【００１２】
第１支柱は、屈曲により垂直に対して６０度以上前傾又は後傾した部分を含まないものが好ましく、４０度以上傾いた部分を含まないものがより好ましい。第１支柱の屈曲の程度が小さい分、剛性が上がる、加工が少なく済む、加工の精度が上がる、不良率が下がる、加工時の事故リスクが軽減される等の効果が得られるからである。
【００１３】
第１支柱と第２支柱の間にガード部材が架設されていることが好ましい。第２支柱は、子供用ステップ板に立った子供が側方へ動く範囲を規制するガードとして機能するが、さらにガード部材が架設されていると、そのガード機能が高められるからである。
【００１４】
ショッピングカートは、第１支柱の中間部の前方に上部カゴ載せを備え、上部カゴ載せの後あおり壁に幼児用座席を備えていることが好ましい。上記のように子供用ステップ板に立った子供に加え、幼児用座席に腰掛けた幼児も一緒に運ぶことができるからである。
【００１５】
幼児用座席は、後あおり壁に接近して折り畳まれた折り畳み状態から、上部カゴ載せの後半部上方に繰り出された使用状態へと変更できるように構成されていることが好ましい。
【実施例】
【００１６】
次に、本発明の実施例について図面を参照して説明する。但し、説明する各部の構造、形状、数量等は例示であり、発明の趣旨を逸脱しない範囲で適宜変更できる。
【００１７】
［実施例１］
図１〜図３に示す実施例１のショッピングカート１は、左右の側枠４を備えた基枠２と、側枠４の前後方向中間部から立設した左右の第１支柱５と、側枠４の後部から立設した左右の第２支柱６と、第２支柱６の前傾した上部からなる客用ハンドル７と、第１支柱５の上端間に延びる子供用ハンドル９と、左右の側枠４の間の上であって第１支柱５と第２支柱６との間に設けられた子供用ステップ板１１とを備え、第１支柱５と第２支柱６とはいずれか一方の上端が他方の上端ないし上端から下へ１５ｃｍ以内に接合されている。子供用ステップ板１１は、子供（幼児ないし低学年学童）が立って載ることができるものである。ショッピングカート１は、さらに下部カゴ載せ１４、上部カゴ載せ１５、幼児用座席２０、及びキャスター２５を備える。
【００１８】
基枠２は、左右に延びる前枠３と、前枠３の左右端から後方へ延びる左右の側枠４とを含む。基枠２は、金属製の例えばパイプ材又は型材からなる。
【００１９】
左右の第１支柱５は、左右の側枠４の前後方向中間部から、まず垂直に上へ１０〜２０ｃｍ延び、続いて屈曲により垂直に対して１５〜２５度ほど前傾して上へ１０〜２０ｃｍ延び、続いて屈曲により垂直に対して１０〜２０度ほど後傾して上へ４０〜５５ｃｍ延びており、側枠４の上面からの高さが７０〜８５ｃｍである。第１支柱５は、金属製の例えばパイプ材又は型材からなる。
【００２０】
左右の第２支柱６は、左右の側枠４の後部から、まず垂直に上へ５〜１５ｃｍ延び、続いて屈曲により垂直に対して４５〜６５度ほど前傾して上へ１５〜３０ｃｍ延び、続いて屈曲により垂直に対して２０〜４０度ほど後傾して上へ２０〜３５ｃｍ延び、続いて屈曲により垂直に対して５０〜７０度ほど前傾して上へ１０〜２０ｃｍ延びた上部（これが客用ハンドル７）となっており、側枠４の上面からの高さが６５〜８０ｃｍであって、その上端が第１支柱５の上端ないし上端から下へ１５ｃｍ以内（本例では上端から４〜６ｃｍ下）の後面に突き合わされ溶接等により接合されている。第２支柱６は、金属製の例えばパイプ材又は型材からなる。
【００２１】
客用ハンドル７は、上記のとおり左右の第２支柱６の前傾した上部からなる。客用ハンドル７には、樹脂製又はゴム製の筒状の客用グリップ８が取り付けられている。
【００２２】
子供用ハンドル９は、子供用ステップ板１１に立って載った子供が握るものである。子供用ハンドル９は、第１支柱５の上端間に延びるバーであり、金属製の例えばパイプ材又は型材からなり、図示例では第１支柱５と一体の金属材により第１支柱５の上端から屈曲して形成されている。子供用ハンドル９には、樹脂製又はゴム製の筒状の子供用グリップ１０が取り付けられている。
【００２３】
子供用ステップ板１１は、左の第１支柱５と第２支柱６の下部間に架設された支持バー１２と、右の第１支柱５と第２支柱６の下部間に架設された支持バー１２との間に、架け渡されている。子供用ステップ板１１は、金属製又は樹脂製であり、その上で子供が跳ねても耐えうる強度に形成されている。
【００２４】
第２支柱６は、子供用ステップ板１１に立った子供が側方へ動く範囲を規制するガードとして機能する。さらに、本実施例では、第１支柱５と第２支柱６の間にガード部材１３が架設され、ガード機能が高められている。ガード部材１３は、図示例では第１支柱５と第２支柱６の中間部間と下部間とに２つが離れて設けられているが、これらを連続させてもよい。また、ガード部材１３は、図示例は板状であるが、柵状、棒状等でもよい。
【００２５】
下部カゴ載せ１４は、左右の側枠４の間の上であって第１支柱５の下部の前方に設けられている。下部カゴ載せ１４は、第１支柱５に固定された後柵と、後柵の下部から前方へ延びた下柵と、下柵の全部を上向きに曲げた前柵と、左右の側枠４に立設した左右の側柵とからなる。
【００２６】
上部カゴ載せ１５は、第１支柱５の中間部の前方に設けられている。上部カゴ載せ１５は、左右の第２支柱６の上部の前端付近に回動可能に取り付けられた後あおり壁１６と、第１支柱５に固定された左右の側壁と、側壁に続く底壁と、側壁及び底壁に続く前壁とからなる。
【００２７】
幼児用座席２０は、幼児が後あおり壁１６より前で後ろ向きに腰掛けることができるように構成され、後あおり壁１６に取り付けられている。幼児用座席２０は、先端が後あおり壁１６に回動可能に軸着された座２１と、座２１の基端に回動可能に軸着された背当２２とを含み構成されている。幼児用座席２０は、図１に示すように、座２１と背当２２が後あおり壁１６に接近して折り畳まれた折り畳み状態から、図２に示すように、座２１と背当２２が上部カゴ載せ１５の後半部上方に繰り出された使用状態へと変更できるように構成されている。
【００２８】
キャスター２５は、左右の側枠４の前端付近と、左右の第１支柱５の下に取り付けられている。
【００２９】
以上のように構成されたショッピングカート１は、図１に示すように、子供用ステップ板１１に子供を立たせて子供用ハンドル９を握らせ、買物客は客用ハンドル７を握って、使用することができる。また、子供用ステップ板１１に子供が立たない場合には、子供用ステップ板１１に買物品、荷物などの物を乗せることもできる。
【００３０】
本実施例のショッピングカート１によれば、次の作用効果が得られる。
（１）第１支柱５と第２支柱６とはいずれか一方の上端が他方の上端ないし上端から下へ１５ｃｍ以内に接合されていることにより、両支柱の特に上部は互いに補強し合って強度が高くなっている。そして、客用ハンドル７は強度が高い第２支柱６の前傾した上部からなり、子供用ハンドル９は強度が高い第１支柱５の上端間又は第２支柱６の上端間に延びているため、買物客が客用ハンドル７を握り、子供が子供用ハンドル９を握ったときの、剛性感と安定性が高い。
【００３１】
（２）客用ハンドル７である第２支柱６の上部は、垂直に対して５０〜７０度前傾したものであるから、買物客が握りやすい。
【００３２】
（３）第１支柱５は、屈曲により垂直に対して６０度以上前傾又は後傾した部分を含まない。第１支柱５の屈曲の程度が小さい分、剛性が上がる、加工が少なく済む、加工の精度が上がる、不良率が下がる、加工時の事故リスクが軽減される等の効果が得られる。
【００３３】
［実施例２］
次に、図４に示す実施例２のショッピングカート１は、第２支柱６の上端間に延びる子供用ハンドル９を備え、第１支柱５の上端が第２支柱６の上端ないし上端から下へ１５ｃｍ以内に接合されている点において実施例１と相違するものである。詳しくは、次のとおりである。
【００３４】
左右の第２支柱６は、左右の側枠４の後部から、まず垂直に上へ５〜１５ｃｍ延び、続いて屈曲により垂直に対して４５〜６５度ほど前傾して上へ１５〜３０ｃｍ延び、続いて屈曲により垂直に対して２０〜４０度ほど後傾して上へ２５〜４０ｃｍ延び、続いて屈曲により垂直に対して５０〜７０度ほど前傾して上へ１０〜２０ｃｍ延びた上部（これが客用ハンドル７）となっており、側枠４の上面からの高さが７０〜８５ｃｍである。
【００３５】
左右の第１支柱５は、左右の側枠４の前後方向中間部から、まず垂直に上へ１０〜２０ｃｍ延び、続いて屈曲により垂直に対して１５〜２５度ほど前傾して上へ１０〜２０ｃｍ延び、続いて屈曲により垂直に対して１０〜２０度ほど後傾して上へ２５〜４０ｃｍ延び、続いて屈曲により垂直に対して４５〜５５度ほど後傾して上へ１０〜２０ｃｍ延びており、側枠４の上面からの高さが６２〜７７ｃｍであって、その上端が第２支柱６の上端ないし上端から下へ１５ｃｍ以内（本例では上端から７〜９ｃｍ下）の前面に突き合わされ溶接等により接合されている。
【００３６】
子供用ハンドル９は、第２支柱６の上端間に延びるバーであり、図示例では第２支柱６と一体の金属材により第２支柱６の上端から屈曲して形成されている。
【００３７】
上部カゴ載せ１５の後あおり壁１６は、左右の第１支柱５の上部の前端付近に回動可能に取り付けられている。
【００３８】
その他の構成は実施例１と共通であり、本実施例によっても実施例１と同様の作用効果が得られる。
【００３９】
なお、本発明は前記実施例の構成に限定されるものではなく、発明の趣旨から逸脱しない範囲で、適宜変更して具体化することもできる。
【符号の説明】
【００４０】
１    ショッピングカート
２    基枠
３    前枠
４    側枠
５    第１支柱
６    第２支柱
７    客用ハンドル
８    客用グリップ
９    子供用ハンドル
１０    子供用グリップ
１１    子供用ステップ板
１２    支持バー
１３    ガード部材
１４    下部カゴ載せ
１５    上部カゴ載せ
１６    後あおり壁
２０    幼児用座席
２１    座
２２    背当
２５    キャスター
【図１】
2019182242.tif 000003
【図２】
2019182242.tif 000004
【図３】
2019182242.tif 000005
【図４】
2019182242.tif 000006